(57)【要約】  【課題】  容易にカバーのロックを解除できる画像形成装置を提供することである。  【解決手段】  本体１１と、用紙挿入口カバー１２と、用紙挿入口カバー１２をロックするカバーロックレバー１３と、押下されることによりカバーロックレバー１３を動かし用紙挿入口カバー１２のロックを解除するカバーオープンボタン１４と、カバーオープンボタン１４をロックするカバーオープンボタンロックレバー１５と、カバーオープンボタンロックレバー１５を動かすカム１６と、カバーオープンボタンロックレバー１５を強制的に動かすためにピンを差し込むロック解除用穴１７とを備え、カバーオープンボタンロックレバー１５のロック解除用穴１７と重なる部分に傾斜部１５ｃを有し、ピンが差し込まれると、ピンの先端で傾斜部１５ｃが押下され、カバーオープンボタンロックレバー１５が動いてカバーオープンボタン１４のロックが解除される構成とする。【選択図】      図１
2005186452.tif 000002
【特許請求の範囲】
【請求項１】
本体と、該本体に開閉可能に固定されロール紙を覆う用紙挿入口カバーと、該用紙挿入
口カバーをロックするカバーロックレバーと、押下されることにより前記カバーロックレ
バーを動かし前記用紙挿入口カバーのロックを解除するカバーオープンボタンと、該カバ
ーオープンボタンをロックするカバーオープンボタンロックレバーと、該カバーオープン
ボタンロックレバーを動かすカムと、前記カバーオープンボタンロックレバーを強制的に
動かすためにピンを差し込むロック解除用穴とを備えた画像形成装置において、
前記カバーオープンボタンロックレバーの前記ロック解除用穴と重なる部分に傾斜部を
有し、
前記カバーオープンボタンをロックした状態において、ピンの挿入方向を鉛直とする平
面上に、前記傾斜部の最大傾斜角方向の線を投影した場合の水平方向となす角度が４５°
であり、
ピンが差し込まれると、ピンの先端で前記傾斜部が押下され、前記カバーオープンボタ
ンロックレバーが動いて前記カバーオープンボタンのロックが解除されることを特徴とす
る画像形成装置。
【請求項２】
本体と、該本体に開閉可能に固定され用紙を覆う用紙挿入口カバーと、該用紙挿入口カ
バーをロックするカバーロックレバーと、押下されることにより前記カバーロックレバー
を動かし前記用紙挿入口カバーのロックを解除するカバーオープンボタンと、該カバーオ
ープンボタンをロックするカバーオープンボタンロックレバーと、該カバーオープンボタ
ンロックレバーを動かすカムと、前記カバーオープンボタンロックレバーを強制的に動か
すためにピンを差し込むロック解除用穴とを備えた画像形成装置において、
前記カバーオープンボタンロックレバーの前記ロック解除用穴と重なる部分に傾斜部を
有し、
ピンが差し込まれると、ピンの先端で前記傾斜部が押下され、前記カバーオープンボタ
ンロックレバーが動いて前記カバーオープンボタンのロックが解除されることを特徴とす
る画像形成装置。
【請求項３】
前記カバーオープンボタンをロックした状態において、ピンの挿入方向を鉛直とする平
面上に、前記傾斜部の最大傾斜角方向の線を投影した場合の水平方向となす角度が３０〜
５０°であることを特徴とする請求項２記載の画像形成装置。
【発明の詳細な説明】
【技術分野】
【０００１】
本発明は、用紙挿入口カバーにロック機構を有した画像形成装置に関するものである。
【背景技術】
【０００２】
ＴＡ（Thermal Autochrome）方式を採用しているフォトプリンタには、３層の熱発色層
を重ねた用紙が用いられる。用紙は加熱することによりそれぞれシアン、マゼンタ、イエ
ローの三原色に発色する。そして各色が発色する毎に適切な波長の紫外線を照射して定着
させる。
【０００３】
このように、ＴＡ方式の用紙は感光性があるので、プリンタにセットされた用紙を遮光
する必要がある。一般的にはロール紙が用いられ、カバーで遮光されている。用紙保護の
ため印刷中はカバーがロックされているので、紙詰まり等でカバーを開ける際にはロック
を外す必要があった。図５は従来のフォトプリンタのカバーオープンボタンロック状態の
側面透過図、図６は図５のカバーオープンボタンのロックを解除した状態を示す図である
。
【０００４】
フォトプリンタ１００は、本体１０１と、セットされたロール紙を覆う用紙挿入口カバ
ー１０２と、用紙挿入口カバー１０２をロックするカバーロックレバー１０３と、押下さ
れることによりカバーロックレバー１０３を動かし用紙挿入口カバー１０２のロックを解
除するカバーオープンボタン１０４と、カバーオープンボタン１０４をロックするカバー
オープンボタンロックレバー１０５と、カバーオープンボタンロックレバー１０５を動か
すカム１０６と、カバーオープンボタンロックレバー１０５を強制的に動かすためにピン
を差し込むロック解除用穴１０７とを備えている。
【０００５】
ロックされた用紙挿入口カバー１０２を開けるには、ロック解除用穴１０７からピン等
を差し込んで、ピンでカバーオープンボタンロックレバー１０５を押し動かし、カバーオ
ープンボタン１０４のロックを解除する。その状態のままカバーオープンボタン１０４を
押下するとカバーロックレバー１０３が動き、用紙挿入口カバー１０２のロックが解除さ
れる。
【０００６】
また特許文献１にもカバー開閉機構の一例が開示されている。これは、フレームに対し
て開閉されるカバーの開閉機構であって、カバーの閉鎖時に、カバーをフレームに対して
ロックするためのロック機構を備えており、ロック機構は、カバーに設けられフレームに
対して係脱される係止手段と、フレームに設けられ係止手段を押圧するための押圧手段と
を備えており、係止手段は押圧手段によって押圧され、その押圧力によって、フレームか
ら脱離する方向に移動するとともにカバーをフレームから開放する方向に移動させる押圧
面を備えており、押圧手段による押圧面の押圧によって、フレームに対する係止手段の脱
離によってロックが解除されるとともに、カバーが、開放方向に移動するように構成され
ている。
【特許文献１】特開２００２−１１１２４３号公報
【発明の開示】
【発明が解決しようとする課題】
【０００７】
しかしながら、図５、図６のフォトプリンタ１００は、ロック解除用穴１０７からピン
を差し込んでカバーオープンボタンロックレバー１０５を押し動かしてカバーオープンボ
タン１０４のロックを解除しなければならないため、ピンで付近の部品を傷つけるおそれ
がある。
【０００８】
また、特許文献１では、係止手段がカバーに設けられており、係止手段を押せば直ぐに
カバーが開く構造になっているが、この構造を上記のフォトプリンタ１００に置き換える
と、カバーロックレバー１０３が係止手段に当たる。従って、カバーオープンボタンロッ
クレバー１０５の構造の問題点は解決できない。
【０００９】
本発明は、ピンを差し込むだけでカバーのロックを解除できる画像形成装置を提供する
ことを目的とする。
【課題を解決するための手段】
【００１０】
上記目的を達成するために本発明は、本体と、該本体に開閉可能に固定され用紙を覆う
用紙挿入口カバーと、該用紙挿入口カバーをロックするカバーロックレバーと、押下され
ることにより前記カバーロックレバーを動かし前記用紙挿入口カバーのロックを解除する
カバーオープンボタンと、該カバーオープンボタンをロックするカバーオープンボタンロ
ックレバーと、該カバーオープンボタンロックレバーを動かすカムと、前記カバーオープ
ンボタンロックレバーを強制的に動かすためにピンを差し込むロック解除用穴とを備えた
画像形成装置において、前記カバーオープンボタンロックレバーの前記ロック解除用穴と
重なる部分に傾斜部を有し、ピンが差し込まれると、ピンの先端で前記傾斜部が押下され
、前記カバーオープンボタンロックレバーが動いて前記カバーオープンボタンのロックが
解除されることを特徴とするものである。
【００１１】
このように、カバーオープンボタンロックレバーに傾斜部を形成することにより、カバ
ーオープンボタンがロックされた状態でも、ロック解除用穴からピンを差し込んで傾斜部
を押圧すると、カバーオープンボタンロックレバーが回転してロックを解除することがで
き、カバーオープンボタンを押下して用紙挿入口カバーを開けることができる。従来のよ
うに、差し込んだピンを左右に動かしてカバーオープンボタンロックレバーを押し動かす
必要がないため、ピンで付近の部品を傷つけるおそれがない。
【００１２】
なお、前記カバーオープンボタンをロックした状態において、ピンの挿入方向を鉛直と
する平面上に、前記傾斜部の最大傾斜角方向の線を投影した場合の水平方向となす角度が
３０〜５０°であることが好ましい。製品の仕様に応じてピンの押圧が最も小さくなる角
度を選べばよい。
【００１３】
また本発明は、本体と、該本体に開閉可能に固定されロール紙を覆う用紙挿入口カバー
と、該用紙挿入口カバーをロックするカバーロックレバーと、押下されることにより前記
カバーロックレバーを動かし前記用紙挿入口カバーのロックを解除するカバーオープンボ
タンと、該カバーオープンボタンをロックするカバーオープンボタンロックレバーと、該
カバーオープンボタンロックレバーを動かすカムと、前記カバーオープンボタンロックレ
バーを強制的に動かすためにピンを差し込むロック解除用穴とを備えた画像形成装置にお
いて、前記カバーオープンボタンロックレバーの前記ロック解除用穴と重なる部分に傾斜
部を有し、前記カバーオープンボタンをロックした状態において、ピンの挿入方向を鉛直
とする平面上に、前記傾斜部の最大傾斜角方向の線を投影した場合の水平方向となす角度
が４５°であり、ピンが差し込まれると、ピンの先端で前記傾斜部が押下され、前記カバ
ーオープンボタンロックレバーが動いて前記カバーオープンボタンのロックが解除される
ことを特徴とするものである。
【発明の効果】
【００１４】
本発明によると、カバーオープンボタンロックレバーに傾斜部を形成することにより、
カバーオープンボタンがロックされた状態でも、ロック解除用穴からピンを差し込んで傾
斜部を押圧すると、カバーオープンボタンロックレバーが回転してロックを解除すること
ができ、カバーオープンボタンを押下して用紙挿入口カバーを開けることができる。従っ
て、従来のように差し込んだピンを左右に動かしてカバーオープンボタンロックレバーを
押し動かす必要がないため、ピンで付近の部品を傷つけるおそれがない。
【発明を実施するための最良の形態】
【００１５】
以下の実施形態においては、画像形成装置の一例としてフォトプリンタを用いて説明す
る。図１はフォトプリンタのカバーオープンボタンロック状態の側面透過図、図２は図１
のカバーオープンボタンのロックを解除した状態を示す図である。
【００１６】
フォトプリンタ１０は、転写部（不図示）や定着部（不図示）を内装した本体１１と、
ヒンジ１２ａで本体１１に開閉可能に設けられ、セットされたロール紙（不図示）を覆う
用紙挿入口カバー１２と、用紙挿入口カバー１２の爪部１２ｂと係合して用紙挿入口カバ
ー１２をロックするカバーロックレバー１３と、押下面１４ａが押下されることによりカ
バーロックレバー１３を動かし用紙挿入口カバー１２のロックを解除するカバーオープン
ボタン１４と、カバーオープンボタン１４の突起１４ｂと係合してカバーオープンボタン
１４をロックする凹部１５ａを形成したカバーオープンボタンロックレバー１５と、軸１
５ｂを回転軸とするカバーオープンボタンロックレバー１５を動かすカム１６と、カバー
オープンボタンロックレバー１５に形成された傾斜部１５ｃと重なる本体１１側面に形成
され、カバーオープンボタンロックレバー１５を強制的に動かすためにピンを差し込むロ
ック解除用穴１７とを備えている。なお、カバーオープンボタンロックレバー１５は、ロ
ックする方向にバネ（不図示）で付勢されている。
【００１７】
通常使用時には、カム１６が回転してカバーオープンボタンロックレバー１５を動かし
、印刷時には突起１４ｂと凹部１５ａとが係合して図１のロック状態となり、停止時には
突起１４ｂと凹部１５ａとが脱離して図２のロック解除状態となる。
【００１８】
図１のようにロックされた用紙挿入口カバー１２を開けるには、ロック解除用穴１７か
らピン等を差し込んで傾斜部１５ｃを押し、カバーオープンボタンロックレバー１５を強
制的に回転させ図２のようにカバーオープンボタン１４のロックを解除する。その状態の
まま押下面１４ａを押下するとカバーロックレバー１３が動き、用紙挿入口カバー１２の
ロックが解除される。
【００１９】
カバーオープンボタン１４のロック解除について詳しく説明する。図３は図１のＡ−Ａ
線断面図、図４は図２のＢ−Ｂ線断面図である。なお、図３、図４においては説明のため
ピンＰを図示している。
【００２０】
図３のようにロック状態でロック解除用穴１７は傾斜部１５ｃの始まり部分（本体１１
に近い部分）に重なっている。この状態でピンＰが差し込まれると、ピンＰの先端が傾斜
部１５の始まり部分を押下する。ピンＰの押圧によって、ピンＰの先端に沿って傾斜部１
５ｃが動く。その結果、図４のようにピンＰと垂直な面方向であって時計回りにカバーオ
ープンボタンロックレバー１５が動いてカバーオープンボタン１４のロックが解除される
。
【００２１】
ここで、カバーオープンボタン１４をロックした状態において、ピンＰの挿入方向を鉛
直とする平面上に、傾斜部１５ｃの最大傾斜角方向の線を投影した場合の水平方向となす
角度が、好ましくは３０〜５０°であり、更に好ましくは４５°である。これは製品の仕
様（軸１５ｂからロック解除用穴１７までの距離、カバーオープンボタンロックレバー１
５の回転角）に応じてピンの押圧が最も小さくなる角度を選べばよい。
【００２２】
カバーオープンボタンロックレバー１５は、ポリアセタール等の樹脂を用いて成形する
ことができる。なお、傾斜部１５ｃの形成位置に特に限定はなく、図１、図２のように傾
斜部１５ｃを軸１５ｂの下方に形成してもよいし、また軸１５ｂの上方に形成してもよい
。なお、傾斜部１５ｃの傾斜は曲線的であってもよい。また、図１、図２では傾斜部１５
ｃは楕円状に形成されているが、その形状には特に限定はなく、円形や長方形としてもよ
い。
【００２３】
このように、カバーオープンボタンロックレバー１５に傾斜部１５ｃを形成することに
より、カバーオープンボタン１４がロックされた状態でも、ロック解除用穴１７からピン
を差し込んで傾斜部１５ｃを押圧すると、カバーオープンボタンロックレバー１５が回転
してロックを解除することができ、カバーオープンボタン１４を押下して用紙挿入口カバ
ー１２を開けることができる。従来のように、差し込んだピンを左右に動かしてカバーオ
ープンボタンロックレバーを押し動かす必要がないため、ピンで付近の部品を傷つけるお
それがない。
【産業上の利用可能性】
【００２４】
本発明の画像形成装置は、感光性の用紙を使用するＴＡ方式のフォトプリンタをはじめ
、カバーにロック機構を有するプリンタや複写機等の画像形成装置に有効に利用すること
ができる。
【図面の簡単な説明】
【００２５】
【図１】本発明のフォトプリンタのカバーオープンボタンロック状態の側面透過図である。
【図２】図１のカバーオープンボタンのロックを解除した状態を示す図である。
【図３】図１のＡ−Ａ線断面図である。
【図４】図２のＢ−Ｂ線断面図である。
【図５】従来のフォトプリンタのカバーオープンボタンロック状態の側面透過図である。
【図６】図５のカバーオープンボタンのロックを解除した状態を示す図である。
【符号の説明】
【００２６】
１０    フォトプリンタ（画像形成装置）
１１    本体
１２    用紙挿入口カバー
１３    カバーロックレバー
１４    カバーオープンボタン
１４ａ  押下面
１４ｂ  突起
１５    カバーオープンボタンロックレバー
１５ａ  凹部
１５ｂ  軸
１５ｃ  傾斜部
１６    カム
１７    ロック解除用穴
【図１】
2005186452.tif 000003
【図２】
2005186452.tif 000004
【図３】
2005186452.tif 000005
【図４】
2005186452.tif 000006
【図５】
2005186452.tif 000007
【図６】
2005186452.tif 000008